(57)【要約】【課題】  メガホンを握る部位に吊り下げ紐を取り付けるための紐取付部が突設されていたりすることにより、メガホンを握った時に紐取付部のような突部が手に当たり、違和感を覚えたりするような問題を解消する。また紐取付部に付けられた吊り下げ紐がメガホンを持ち直したり握り直したりする際に邪魔にならないようにする。【解決手段】  拡声筒と吹き口とから成るメガホンであって、吹き口の付近の壁面に紐通し孔を開孔する。またこの紐通し孔に吊り下げ紐を通したメガホンとする。これによって握る部位から突起部分などが何もなくなり、ここを握った時に違和感を感じるようなことがなく、またここから吊り下げ紐が出なくなった結果、握る時の邪魔にもならなくなっている。【選択図】  図１
2007058143.tif 000002
【特許請求の範囲】
【請求項１】
拡声筒と吹き口とから成るメガホンに於いて、吹き口の付近の壁面に紐通し孔が開孔されているメガホン。
【請求項２】
拡声筒と吹き口とから成るメガホンに於いて、吹き口の付近の壁面に紐通し孔が開孔されていると共に、この紐通し孔に吊り下げ紐が通されているメガホン。
【請求項３】
拡声筒と吹き口とから成る前記メガホンが２つと、１つの吊り下げ紐と、から成り、各々のメガホンの前記紐通し孔に１本の吊り下げ紐が通されて２つのメガホンが繋げられている、請求項１または請求項２に記載のメガホン。
【請求項４】
前記紐通し孔が壁面の内側に向けてアールが付くように形成されている、請求項１または請求項２に記載のメガホン。
【請求項５】
前記吹き口の付近の壁面にリブが形成されており、このリブの位置に前記紐通し孔が形成されている、請求項１または請求項２に記載のメガホン。
【請求項６】
ブロー成型により拡声筒と吹き口とから成るメガホンを成型するメガホンの製造方法であって、吹き口の付近の壁面に内方に向けて突出部を設けるようにブロー成型した後、この突出部を内側でカットすることによって外側にアールが付いた紐通し孔を作る、紐通し孔を備えたメガホンの製造方法。
【請求項７】
ブロー成型により拡声筒と吹き口とから成るメガホンを成型するメガホンの製造方法であって、吹き口付近の壁面に内方に向け中空の突出部を設けるようにブロー成型した後に、この突出部を内側でカットすることによって外側にアールが付いた紐通し孔を作り、この紐通し孔に吊り下げ紐を通す、紐通し孔を備えたメガホンの製造方法。
【発明の詳細な説明】
【技術分野】
【０００１】  この発明は吊り下げ紐が付いたメガホンに係り、特に握る時に吊り下げ紐やその取り付け具が邪魔にならないメガホンに関する。
【背景技術】
【０００２】  従来のメガホンは拡声筒と吹き口とから成り、このものを首から吊り下げるための吊り下げ紐が設けられているものが主流である。メガホン本体部に吊り下げ紐を取り付けるには、例えば特開２００２−２５８８６７号公報のメガホン９のように、拡声筒９０と吹き口９１が小径部９３で接続した形状を呈するメガホン９の、拡声筒９０の小径部９３の極近傍に吊り下げ紐を通すための孔開きの紐取付部９２を突設し、これに吊り下げ紐９４を取り付けるようにしている（図６を参照）。【０００３】  また特開２０００−３５２９８５号公報のメガホンでは、そのくびれ部分（拡声筒と吹き口との境界付近）にリング状の止着部材３をはめ込んで、この止着部材３にストラップすなわち吊り下げ紐の端部を止着している。或いはまたメガホンのくびれ部分に吊り下げ紐を巻き付けて縛るなどしてこれを取り付けている（何れも図示せず）。
【特許文献１】特開２００２−２５８８６７号公報（図２、紐取付部１ｅ）
【特許文献２】特開２０００−３５２９８５号公報（図１、止着部材３）
【発明の開示】
【発明が解決しようとする課題】
【０００４】  しかしながら上述した特開２００２−２５８８６７号のメガホンでは、メガホン９本体の小径部９３の側外側面に紐状物を取り付けるための紐取付部９２が突設されているが、この小径部はメガホンを手で持つ際に握られる部位でもあるため（自然に手がその位置に行く）、突設された紐取付部９２が手に当たり不快な思いをすることがままある。このことは上述した特開２０００−３５２９８５号のメガホンでも同様であって、くびれ部分を握った手にリング状の止着部材が当たると言う問題がある。また吊り下げ紐をメガホンのくびれ部分に巻き付けて縛っているものでは、やはり吊り下げ紐そのものや結び目に違和感を覚えることがある。また吊り下げ紐９４が上述したようにくびれ部分から出ていることによって、メガホンを持ち直したり握り直したりする際に、吊り下げ紐が邪魔になることがある。【０００５】  従ってこの発明では、メガホンを握った時に紐取付部のような突部が手に当たって違和感を覚えたりすることがなく、またメガホンを持ち変える際には吊り下げ紐が邪魔にならないようにすることを課題とする。
【課題を解決するための手段】
【０００６】  上記課題は、拡声筒と吹き口とから成るメガホンに於いて、吹き口の付近の壁面に紐通し孔が開孔されているメガホンとすることにより達成される。なおこの紐通し孔に吊り下げ紐が通されているメガホンとしたものもこの発明の権利範囲である。【０００７】  上述したように従来のメガホンでは、吊り下げ紐が小径部くびれ部分に取り付けられるようになっていたが、この発明ではこの取り付け位置を吹き口の方へ移したものとしている。これにより小径部くびれ部分には突起部分などが何もなくなり、ここを握った時に違和感を感じるようなことはなく、痛みを感じるようなこともない。すなわち安全性が高まっている。またこの紐通し孔に吊り下げ紐を取り付けた時には、吊り下げ紐は吹き口の方へ移動しているため、小径部くびれ部分を持ち変える時に吊り下げ紐が邪魔になるようなことがなくなっている。なお吊り下げ紐は吹き口を吹く時の邪魔にはならない。【０００８】  なお請求項１または請求項２のメガホンに於いて、拡声筒と吹き口とから成る前記メガホンが２つと、１つの吊り下げ紐とから成り、各々のメガホンの前記紐通し孔に１本の吊り下げ紐が通されて２つのメガホンが繋げられているものとすることが出来る。この構成によって２つのメガホンを左右に分けるなどして首から吊り下げることが可能であるし、特にこの状態で手で握ったり持ち変えたりしても、吊り下げ紐の取り付け位置が吹き口の方にあるために、上述したような問題が両手に付いて起こらない。【０００９】  次に請求項１または請求項２のメガホンに於いて、前記紐通し孔が壁面の内側に向けてアールが付くように形成されているものとすることが出来る。上述した解決手段によってすでに問題点は解決されているのではあるが、さらにこの紐通し孔は壁面の内側に向けてアールが付けられているために、吹き口の方にある紐通し孔の上を手で握ったとしても、違和感を覚えたりするようなことがなく、安全性が極めて高く、紐通し孔の見た目もより良いものとなるなどの効果を奏する。【００１０】  このような構成のメガホンは、ブロー成型によって拡声筒と吹き口とから成るメガホンを成型するようにするのであるが、吹き口の付近の壁面に内方に向かって中空の突出部を設けるようにブロー成型した後に、この突出部を内側でカットすることによって、外側にアールが付いた紐通し孔を作るようにすると製造が容易である。さらにこのような紐通し孔を設けたメガホンに吊り下げ紐を通すようにすることが出来る。【００１１】  さて請求項１または請求項２のメガホンに於いて、前記吹き口付近の壁面にリブが形成されており、このリブの位置に前記紐通し孔が形成されているものとすることが出来る。リブを吹き口の外壁面の回りに設けることによって、この上を握った時のグリップ性能が向上する。なおリブが凸リブであって、この凸リブの上に掛かるように紐通し孔を形成する場合には、凸リブの紐通し孔に臨む部位を紐通し孔の方向に丸めたりカットしたりすると角が出来ずに手触りが良くなる。
【発明の効果】
【００１２】  この発明ではメガホンの吹き口付近に紐通し孔を開孔しているため、小径部くびれ部分には何もなくなり、握りやすく吊り下げ紐が邪魔になることもない。また前記紐通し孔を壁面の内側に向けてアールが付くように形成したものでは、この上を手で握ったとしても違和感がなく、安全性が高く、紐通し孔の見た目も良い。
【発明を実施するための最良の形態】
【００１３】  以下ではこの発明の幾つかの実施形態を図面に基づいて説明するが、この発明はこれ等の実施形態に限定されるものではなく、この発明の思想の範囲内に於いて自由に改変することが可能である。【００１４】  （第１実施形態）
このメガホン１の外形的な特徴は、拡声筒１の長さの半分もの長さを有する比較的長い吹き口１０が設けられている点にある。拡声筒１も吹き口１０も共に、両者の接続部である小径部１１に向けてその径が細くなって行くようなデザインとなっている。この吹き口１０の前記小径部１１とは反対側の端部すなわち吹き口付近の壁面に１つの紐通し孔１２が開孔されており、この紐通し孔１２に吊り下げ紐２が通されて輪状に止められている。なおメガホン１は合成樹脂成型に成るものであるが、材質的にはこの他にも木や紙などを任意に採用可能である。【００１５】  このメガホン１は非常にユニークな形状のものであると同時に、従来のように吊り下げ紐を通すための紐取付部が、手で握る部位である小径部１１付近に突設されていず、吹き口付近に開孔されたものとされていることにより、手で握りやすくこの時の感触も良好である。またメガホンの小径部１１を持ち直したり握り直したりする際に、吊り下げ紐２が邪魔になるようなことも起こらない。【００１６】  なお前記紐通し孔１２を更にもう１つ、対向する位置の吹き口付近の壁面に開孔して、これ等２つの紐通し孔１２，１２に前記輪状の吊り下げ紐２を通すようにすることが出来る。この場合でも上記同様の利点がある。また吹き口１０を吹く際に吊り下げ紐２が邪魔になるようなこともない。【００１７】  （第２実施形態）
このメガホンは上述した第１実施形態のメガホン１を２つ、１本の吊り下げ紐２の両端部に止めている点に特徴を有する。各々のメガホン１の紐通し孔１２に吊り下げ紐２の端部を通して結んで成る。【００１８】  このようにして２つのメガホン１，１を１つの吊り下げ紐２によって首に吊り下げることが出来る。更にこの２つのメガホン１，１を拍子木のように使用して互いに叩き合わせることで音を出すことが出来る。なお上述したこのメガホン１の外形的な特徴によって、この拍子木としての使用の際にも握りやすいと言う格別の効果がある。【００１９】  （第３実施形態）
上述したような紐通し孔はメガホンの吹き口の壁面に、内側に向けてアールが付くように形成されているものとすると都合が良い。図３はこの例であるが、吹き口３０の壁面に内側に向けてアール３４が付けらた紐通し孔３２とされている。このアールを付けた構成によって、この部位を手で握っても滑らかで安全性が高いものとなっている。【００２０】  このようなメガホンの製造方法に付いてであるが、図４で示したような形状のメガホンすなわち拡声筒３と吹き口３０との接続部である小径部３１に向けて、拡声筒３も吹き口３０も共にその径が細くなって行くような形状のメガホンを合成樹脂のブロー成型によって製造するが、この際に吹き口付近の壁面に内方に向かう中空の突出部３３（ヘソ）を設けるようにする。そして図の矢線で示した位置で、拡声筒３の口にある切除片３６を切除すると共に、吹き口３０の口にある切除片３７を切除し、吹き口３０側の口からカッターを入れるようにして、矢線で示すように突出部３３をカットして紐通し孔３２を開孔するのである。この作業によって紐通し孔３２の縁の周囲にアール３４が付けられる。図３では符号３５で示された切り残し部が表わされている。【００２１】  （第４実施形態）
図５で表わされた第４実施形態のメガホンでは、吹き口４０に４本のリブ４２が突設されている。これ等の４本のリブ４２の内、吹き口４０の端部から２番目のリブの上に紐通し孔４４が開孔されているが、この場合に紐通し孔４４に向けてリブ４２の端部に傾斜部４３が設けられている点が特徴的である。なお符号４は拡声筒であり、符号４１は小径部を指す。【００２２】  リブ４２はデザインであると共に滑り止めとしての実用的な効果を出すべく設けられているが、リブ４２の上に紐通し孔４４を開孔しただけでは、この部位にリブ４２の段差を生じて、この上を握った時にリブ４２の切り口（紐通し孔４４の縁部）で痛い思いをすることもあり得る。このような場合を想定してリブ４２のこの部位に傾斜部４３を設けているのである。【００２３】  この他この発明では、紐通し孔を開孔した所にハトメなどをはめ込むようにすることが出来る。また上記リブ４２を設けてこの上に掛かるように紐通し孔４４を開孔する場合では、紐通し孔４４の回りにリブ４２と同じ高さの縁取りを設けるなども好ましい。【００２４】  また吊り下げ紐の種類は特に限定されないから、木綿の撚り線、合成樹脂繊維の編み線などの他にも、リボン紐やボールチェーンなどが任意に使用可能である。
【産業上の利用可能性】
【００２５】  なお上述した実施形態では、拡声筒の長さの半分もの長さを有する比較的長い吹き口が設けられているメガホンを例に採ったが、メガホンの形状は基本的には任意である。またこの発明のメガホンはいわゆるスポーツ応援グッズであるから、筒状の握り部分を有するスポーツ応援グッズであればこの発明の構成を採用することが可能である。
【図面の簡単な説明】
【００２６】
【図１】  この発明の第１実施形態の説明図である。
【図２】  この発明の第２実施形態の説明図である。
【図３】  この発明の第３実施形態の断面図である。
【図４】  同実施形態の製造方法を示す説明図である。
【図５】  この発明の第４実施形態の断面図である。
【図６】  従来例の説明図である。
【符号の説明】
【００２７】  １    拡声筒
１０  吹き口
１１  小径部
１２  紐通し孔
２    吊り下げ紐
３    拡声筒
３０  吹き口
３１  小径部
３２  紐通し孔
３３  突出部
３４  アール
３５  切り残し部
３６  切除片
３７  切除片
４    拡声筒
４０  吹き口
４１  小径部
４２  リブ
４３  傾斜部
４４  紐通し孔
【図１】
2007058143.tif 000003
【図２】
2007058143.tif 000004
【図３】
2007058143.tif 000005
【図４】
2007058143.tif 000006
【図５】
2007058143.tif 000007
【図６】
2007058143.tif 000008